(57)【要約】  本開示は、開構成と閉構成との間で操作可能な弁アセンブリを含む呼吸マスク保護装置を提供する。例示的ないくつかの実施形態では、呼吸マスク保護装置は、第１の空気チャンバ、第２の空気チャンバ、及び呼吸可能空気領域を有するマスク本体を含む。弁アセンブリは、第１及び第２の空気チャンバから呼吸可能空気領域への空気流を妨げる閉構成へと操作可能である。
2019512344.tif 000002
【特許請求の範囲】
【請求項１】
第１のチャンバ、第２のチャンバ、及び装着者のための呼吸可能空気領域を画定するマスク本体と、
第１及び第２の呼吸空気源構成要素であって、前記第１のチャンバが前記第１の呼吸空気源構成要素と流体連通し、前記第２のチャンバが前記第２の呼吸空気源構成要素と流体連通するように、前記マスク本体に取り付けられるように構成された第１及び第２の呼吸空気源構成要素と、
開構成と、前記第１及び第２の呼吸空気源構成要素と前記呼吸可能空気領域との流体連通を妨げる閉構成との間で操作可能な単一のアクチュエータを備える弁アセンブリと、を備える呼吸マスク保護装置であって、
前記第１及び第２のチャンバは、前記第１のチャンバが第１の吸気ポートを通じて前記呼吸可能空気領域と流体連通し、前記第２のチャンバが第２の吸気ポートを通じて前記呼吸可能空気領域と流体連通するように、実質的に流体隔離されている、呼吸マスク保護装置。
【請求項２】
前記第１及び第２の吸気ポートは、空気が前記呼吸可能空気領域に入ることを可能にし、空気が前記呼吸可能空気領域から前記第１又は第２のチャンバに出ることを妨げるように構成された逆止弁を備える、請求項１に記載の呼吸マスク保護装置。
【請求項３】
単一の隔壁が、前記第１の吸気ポートと前記第２の吸気ポートの両方を選択的に覆い、空気が前記第１及び第２のチャンバから前記呼吸可能空気領域に入ることを可能にし、空気が前記呼吸可能空気領域から前記第１又は第２のチャンバに出ることを妨げるように構成されている、請求項１に記載の呼吸マスク保護装置。
【請求項４】
前記マスク本体は、前記マスク本体を左右半体に分割する中央平面を備え、前記第１及び第２のチャンバは、前記中央平面に対して少なくとも部分的に平行に向けられた壁によって分離されている、請求項１に記載の呼吸マスク保護装置。
【請求項５】
前記弁アセンブリが前記開構成と前記閉構成との間で操作されるときに、前記弁アセンブリが少なくとも部分的に、前記第１及び第２の空気チャンバ内を移動する、請求項１に記載の呼吸マスク保護装置。
【請求項６】
前記弁アセンブリは、単体のプランジャを備え、前記弁アセンブリが前記開構成と前記閉構成との間で操作されるときに、前記単体のプランジャが部分的に、前記第１の空気チャンバと第２の空気チャンバとの間にある分離壁の両側を移動する、請求項５に記載の呼吸マスク保護装置。
【請求項７】
前記単体のプランジャは、前記マスク本体を左右半体に分割する中央平面に沿って延びる長手方向軸線に沿って直線的に移動する、請求項６に記載の呼吸マスク保護装置。
【請求項８】
第１及び第２の弾性シールを備え、前記第１の呼吸空気源構成要素は、前記マスク本体に取り付けられたときに前記第１の弾性シールと封止係合し、前記第２の呼吸空気源構成要素は、前記マスク本体に取り付けられたときに前記第２の弾性シールと封止係合する、請求項１に記載の呼吸マスク保護装置。
【請求項９】
前記弁アセンブリは、第１及び第２の封止面を備え、前記第１及び第２の吸気ポートは、対応する封止面を備え、前記閉構成では、前記弁アセンブリの前記第１の封止面が、前記第１の吸気ポートの前記封止面に接触し、前記弁アセンブリの前記第２の封止面が、前記第２の吸気ポートの前記封止面に接触する、請求項１に記載の呼吸マスク保護装置。
【請求項１０】
前記アクチュエータはボタンを備え、前記ボタンは、前記弁アセンブリが前記閉構成にあるときに押下されている、請求項１に記載の呼吸マスク保護装置。
【請求項１１】
前記弁アセンブリは、前記開構成に向けて付勢されている、請求項１に記載の呼吸マスク保護装置。
【請求項１２】
前記弁アセンブリは、第１及び第２の封止面を備える、請求項１に記載の呼吸マスク保護装置。
【請求項１３】
前記第１及び第２の封止面は、前記開構成と前記閉構成との間で直線的に移動するように構成されている、請求項１２に記載の呼吸マスク保護装置。
【請求項１４】
呼吸マスク保護装置の操作方法であって、
第１の呼吸空気源構成要素と呼吸可能空気領域との間の第１のチャンバを通る第１の流路と、第２の呼吸空気源構成要素と前記呼吸可能空気領域との間の第２のチャンバを通る第２の流路とをマスク本体が提供する開構成から、前記第１及び第２の流路を通じた流体連通が妨げられる閉構成に、弁アセンブリを操作することを含み、
前記第１のチャンバは、前記第２のチャンバと流体連通しておらず、前記弁アセンブリは、前記開構成から前記閉構成に移動可能な単一のアクチュエータを備える、方法。
【請求項１５】
前記弁アセンブリが前記閉構成にある間に息を吸い込むことを含む、請求項１４に記載の方法。
【請求項１６】
吸い込み中に観察される指標に基づいて前記マスク本体の装着を評価することを含む、請求項１５に記載の方法。
【請求項１７】
前記指標は、吸い込みの困難性の増大である、請求項１６に記載の方法。
【請求項１８】
前記マスク本体は、柔軟な顔面接触部分を備え、前記指標は、前記柔軟な顔面接触部分の内側への撓みである、請求項１６に記載の方法。
【請求項１９】
前記弁アセンブリが前記開構成に戻ることを可能にするように、前記アクチュエータを解放することを含む、請求項１４に記載の方法。
【請求項２０】
第１のチャンバ、第２のチャンバ、及び装着者のための呼吸可能空気領域を画定するマスク本体と、
第１及び第２の呼吸空気源構成要素であって、前記第１のチャンバが前記第１の呼吸空気源構成要素と流体連通し、前記第２のチャンバが前記第２の呼吸空気源構成要素と流体連通するように、前記マスク本体に取り付けられるように構成された第１及び第２の呼吸空気源構成要素と、
開構成と、前記第１の呼吸空気源構成要素と前記呼吸可能空気領域との流体連通を妨げる閉構成との間で操作可能な単一のアクチュエータを備える弁アセンブリと、を備える呼吸マスク保護装置であって、
前記第１及び第２のチャンバは、前記第１のチャンバが第１の吸気ポートを通じて前記呼吸可能空気領域と流体連通し、前記第２のチャンバが第２の吸気ポートを通じて前記呼吸可能空気領域と流体連通するように、実質的に流体隔離されている、呼吸マスク保護装置。
【請求項２１】
前記閉構成では、前記第２の呼吸空気源構成要素と前記呼吸可能空気領域との流体連通が妨げられる、請求項２０に記載の呼吸マスク保護装置。
【請求項２２】
前記第１及び第２の吸気ポートは、空気が前記呼吸可能空気領域に入ることを可能にし、空気が前記呼吸可能空気領域から前記第１又は第２のチャンバに出ることを妨げるように構成された逆止弁を備える、請求項２０に記載の呼吸マスク保護装置。
【請求項２３】
単一の隔壁が、前記第１の吸気ポートと前記第２の吸気ポートの両方を選択的に覆い、空気が前記第１及び第２のチャンバから前記呼吸可能空気領域に入ることを可能にし、空気が前記呼吸可能空気領域から前記第１又は第２のチャンバに出ることを妨げるように構成されている、請求項２０に記載の呼吸マスク保護装置。
【請求項２４】
前記弁アセンブリが前記開構成と前記閉構成との間で操作されるときに、前記弁アセンブリが少なくとも部分的に、前記第１及び第２の空気チャンバ内を移動する、請求項２０に記載の呼吸マスク保護装置。
【請求項２５】
前記弁アセンブリは、単体のプランジャを備え、前記弁アセンブリが前記開構成と前記閉構成との間で操作されるときに、前記単体のプランジャが部分的に、前記第１の空気チャンバと第２の空気チャンバとの間にある分離壁の両側を移動する、請求項２４に記載の呼吸マスク保護装置。
【発明の詳細な説明】
【技術分野】
【０００１】
本開示は、装着チェック装置を含む呼吸マスク保護装置及び方法を説明し、いくつかの実施形態では、複数の空気チャンバを含む呼吸マスク保護装置を説明する。
【背景技術】
【０００２】
例えば、使用者の鼻及び口を覆って、呼吸可能空気を装着者に提供する呼吸マスク保護装置がよく知られている。空気は、装着者が空気を吸い込むことができる呼吸領域に、装着者によって呼吸可能空気源を通じて引き込まれるか、又はファン若しくは送風機によって送り込まれる。
【０００３】
呼吸可能空気を装着者に効果的に送るために、呼吸マスク保護装置は、濾過されていない空気がマスクに入ることを妨げる。例えば、呼吸マスク保護装置の顔面シールの完全性をテストするための様々な技法が提案されている。正圧テストでは、装着者がマスク内に息を吐き出す間、呼吸マスク保護装置の呼気弁が遮られる。漏れがない場合には、空気がマスクから出られないことによる内部圧力の増加によって、適切なシールを知らせることができる。代わりに、装着者がマスクを装着して息を吸い込む間、フィルタカートリッジポートが遮られる、負圧テストが提案されている。漏れがない場合には、空気がマスクに入らないことによる内部圧力の減少によって、適切なシールを知らせることができる。負圧又は正圧テストを容易にするように１つ以上のポートを遮る様々な機構が設けられている。
【発明の概要】
【０００４】
本明細書で説明する特定の実施形態は、第１のチャンバ、第２のチャンバ、及び装着者のための呼吸可能空気領域を画定するマスク本体を含む呼吸マスク保護装置を提供する。第１及び第２の呼吸空気源構成要素が、第１のチャンバが第１の呼吸空気源構成要素と流体連通し、第２のチャンバが第２の呼吸空気源構成要素と流体連通するように、マスク本体に取り付けられるように構成される。単一のアクチュエータを備える弁アセンブリが、開構成と、第１及び第２の呼吸空気源構成要素と呼吸可能空気領域との流体連通を妨げる閉構成との間で操作可能である。第１及び第２のチャンバは、第１のチャンバが第１の吸気ポートを通じて呼吸可能空気領域と流体連通し、第２のチャンバが第２の吸気ポートを通じて呼吸可能空気領域と流体連通するように、実質的に流体隔離されている。
【０００５】
実施形態は、以下の特徴のいずれかを含んでもよく、全てを含んでもよく、又はいずれも含まなくてもよい。第１及び第２の吸気ポートは、空気が呼吸可能空気領域に入ることを可能にし、空気が呼吸可能空気領域から第１又は第２のチャンバに出ることを妨げるように構成された逆止弁を含むことができる。単一の隔壁が、第１の吸気ポートと第２の吸気ポートの両方を選択的に覆うことができ、空気が第１及び第２のチャンバから呼吸可能空気領域に入ることを可能にし、空気が呼吸可能空気領域から第１又は第２のチャンバに出ることを妨げるように構成される。マスク本体は、マスク本体を左右半体に分割する中央平面を含むことができ、第１及び第２のチャンバは、中央平面に対して少なくとも部分的に平行に向けられた壁によって分離されうる。弁アセンブリが開構成と閉構成との間で操作されるときに、弁アセンブリが少なくとも部分的に、第１及び第２の空気チャンバ内を移動することができる。弁アセンブリは、単体のプランジャを含むことができ、弁アセンブリが開構成と閉構成との間で操作されるときに、単体のプランジャが部分的に、第１の空気チャンバと第２の空気チャンバとの間にある分離壁の両側を移動する。単体のプランジャは、マスク本体を左右半体に分割する中央平面に沿って延びる長手方向軸線に沿って直線的に移動することができる。呼吸マスク保護装置は、第１及び第２の弾性シールを含むことができる。第１の呼吸空気源構成要素は、マスク本体に取り付けられたときに第１の弾性シールと封止係合することができ、第２の呼吸空気源構成要素は、マスク本体に取り付けられたときに第２の弾性シールと封止係合することができる。弁アセンブリは、第１及び第２の封止面を含むことができ、第１及び第２の吸気ポートは、対応する封止面を備え、閉構成では、弁アセンブリの第１の封止面が、第１の吸気ポートの封止面に接触し、弁アセンブリの第２の封止面が、第２の吸気ポートの封止面に接触する。アクチュエータは、弁アセンブリが閉構成にあるときに押下されているボタンとすることができる。弁アセンブリを開構成に向けて付勢することができる。弁アセンブリは、第１及び第２の空気チャンバを通る空気流を妨げるように構成された第１及び第２の封止面を含むことができる。第１及び第２の封止面を開構成と閉構成との間で直線的に移動するように構成することができる。
【０００６】
本明細書で説明する特定の実施形態は、呼吸マスク保護装置の操作方法であって、第１の呼吸空気源構成要素と呼吸可能空気領域との間の第１のチャンバを通る第１の流路と、第２の呼吸空気源構成要素と呼吸可能空気領域との間の第２のチャンバを通る第２の流路とをマスク本体が提供する開構成から、第１及び第２の流路を通じた流体連通が妨げられる閉構成に、弁アセンブリを操作することを含む方法を提供する。
第１のチャンバは、第２のチャンバと流体連通しておらず、弁アセンブリは、開構成から閉構成に移動可能な単一のアクチュエータを備える。
【０００７】
実施形態は、以下の特徴のいずれかを含んでもよく、全てを含んでもよく、又はいずれも含まなくてもよい。方法は、弁アセンブリが閉構成にある間に、息を吸い込むことを更に含むことができる。方法は、吸い込み中に観察される指標に基づいてマスク本体の装着を評価することを更に含むことができる。この指標は、吸い込みの困難性の増大とすることができる。マスク本体は、柔軟な顔面接触部分を更に含むことができ、指標は、柔軟な顔面接触部分の内側への撓みとすることができる。方法は、弁アセンブリが開構成に戻ることを可能にするためにアクチュエータを解放することを更に含むことができる。
【０００８】
本明細書で説明する特定の実施形態は、第１のチャンバ、第２のチャンバ、及び装着者のための呼吸可能空気領域を画定するマスク本体を含む呼吸マスク保護装置を提供する。第１及び第２の呼吸空気源構成要素が、第１のチャンバが第１の呼吸空気源構成要素と流体連通し、第２のチャンバが第２の呼吸空気源構成要素と流体連通するように、マスク本体に取り付けられるように構成される。弁アセンブリが、開構成と、第１の呼吸空気源構成要素と呼吸可能空気領域との流体連通を妨げる閉構成との間で操作可能な単一のアクチュエータを含む。第１及び第２のチャンバは、第１のチャンバが第１の吸気ポートを通じて呼吸可能空気領域と流体連通し、第２のチャンバが第２の吸気ポートを通じて呼吸可能空気領域と流体連通するように、実質的に流体隔離されている。
【０００９】
実施形態は、以下の特徴のいずれかを含んでもよく、全てを含んでもよく、又はいずれも含まなくてもよい。閉構成では、第２の呼吸空気源構成要素と呼吸可能空気領域との流体連通を妨げることができる。第１及び第２の吸気ポートは、空気が呼吸可能空気領域に入ることを可能にし、空気が呼吸可能空気領域から第１又は第２のチャンバに出ることを妨げるように構成された逆止弁を含むことができる。単一の隔壁が、第１の吸気ポートと第２の吸気ポートの両方を選択的に覆うことができ、空気が第１及び第２のチャンバから呼吸可能空気領域に入ることを可能にし、空気が呼吸可能空気領域から第１又は第２のチャンバに出ることを妨げるように構成することができる。弁アセンブリが開構成と閉構成との間で操作されるときに、弁アセンブリが少なくとも部分的に、第１及び第２の空気チャンバ内を移動することができる。弁アセンブリは、単体のプランジャを含むことができ、弁アセンブリが開構成と閉構成との間で操作されるときに、単体のプランジャが部分的に、第１の空気チャンバと第２の空気チャンバとの間にある分離壁の両側を移動することができる。
【００１０】
１つ以上の実施形態の詳細が、添付図面及び以下の説明で明らかにされる。上記概要は、開示される各実施形態又は全ての実施形態を説明することを意図していない。他の特徴及び利点が、説明及び図面、並びに請求項から明らかになるであろう。
【図面の簡単な説明】
【００１１】
本説明は添付図を参照して更に提示されるが、その際、同様の構造は、いくつかの図を通して同様の数字で参照される。
【００１２】
【図１】例示的な呼吸マスク保護装置の斜視図である。
【００１３】
【図２】例示的な呼吸マスク保護装置の部分断面図である。
【００１４】
【図３】図２の呼吸マスク保護装置の部分分解図である。
【００１５】
【図４】第１及び第２の呼吸空気源構成要素を含む、図２の呼吸マスク保護装置の部分断面図である。
【００１６】
【図５】閉構成にある弁アセンブリを示す、図２の呼吸マスク保護装置の部分断面図である。
【００１７】
前述した図では、開示した主題の様々な実施形態について記載しているが、他の実施形態も考えられる。すべての場合において、本開示では、開示した主題を、限定としてではなく代表として示している。
【発明を実施するための形態】
【００１８】
本開示は、装着者のための呼吸可能空気領域を画定し、１つ以上の呼吸空気源構成要素を受けるように構成されたマスク本体を含む呼吸マスク保護装置を提供する。呼吸マスク保護装置は、呼吸可能空気が呼吸空気源構成要素から呼吸可能空気領域へ進むことができる開位置と、空気流が遮られる閉位置との間で選択的に操作可能な弁アセンブリを含む。例示的ないくつかの実施形態では、呼吸マスク保護装置は、呼吸可能空気領域と流体連通する、実質的に互いに流体隔離された第１のチャンバ及び第２のチャンバを含む。第１及び第２の呼吸空気源構成要素から受けた空気を、呼吸可能空気領域に入る前に実質的に混合させずに、第１及び第２の空気チャンバのそれぞれを独立して通じて呼吸可能空気領域に送ることができる。
【００１９】
図１を参照すると、装着者の口及び／又は鼻を覆う例示的な呼吸マスク保護装置１００が示されている。呼吸マスク保護装置１００は、１つ以上の受け部１２０を有するマスク本体１１０を含む。マスク本体１１０には、１つ以上の受け部１２０に１つ以上の呼吸空気源構成要素１５０を取り付けることができる。第１及び第２の呼吸空気源構成要素１５０は、外部環境から受けた空気を、マスク本体の呼吸可能空気領域に入る前に濾過するフィルタカートリッジを含むことができる。例示的な他の実施形態では、第１及び第２の呼吸空気源構成要素１５０は、管又は管路などの供給空気構成要素、動力式空気浄化呼吸マスク構成要素、又は他の適当な呼吸空気源構成要素１５０を含むことができる。
【００２０】
マスク本体１１０は、硬質又は半硬質の部分１１０ａと、柔軟な顔面接触部分１１０ｂとを含むことができる。柔軟な顔面接触部分１１０ｂは、マスク本体１１０が人の鼻及び口の上に快適に支持されること、及び／又は装着者の顔面との適切なシールを提供することを可能にする可撓性材料を含む。顔面接触部材１１０ｂは、装着者の鼻の上及び装着者の頬に対して快適にぴったり適合することを容易にするように内側に曲げられたカフを有することができる。硬質又は半硬質の部分１１０ａは、マスク本体１１０に構造的完全性をもたらすことができる。例示的な様々な実施形態では、マスク本体の部分１１０ａ、１１０ｂを一体的に設けたり、恒久的若しくは取り外し可能な態様で後に結合される別個に形成された１つ以上の部分として設けたりすることができる。
【００２１】
マスク本体１１０は、装着者による吐き出し中にマスク本体１１０内の内部空間から空気をパージすることができる呼気ポート１１１を含む。例示的な実施形態では、マスク本体１１０の中央に呼気弁が位置する。例えば、隔壁又は逆止弁を含む、呼気弁が、外気の侵入を妨げる一方で、マスク本体１１０内の正圧によって空気が出ることを選択的に可能にする。例示的ないくつかの実施形態では、呼気ポート１１１は、マスク本体の比較的低い位置、例えば、装着者の口より下方に配置される。
【００２２】
装着者の口及び／又は鼻の上の所定位置にマスク本体１１０を支持するように、ハーネス又は他の支持アセンブリ（図１には示していない）を設けることができる。例示的な実施形態では、ハーネスは装着者の頭の後ろを通る１つ以上のストラップを含み、及び／又は、例えば、ハーネスを装着者の頭に支持されたクラウン部材又は帽子掛留部に取り付けることができる。
【００２３】
マスク本体１１０の第１及び第２の受け部１２０には、フィルタカートリッジなどの１つ以上の呼吸空気源構成要素１５０を取り付けることができる。例示的な実施形態では、第１及び第２の受け部１２０は、マスク本体１１０の互いに反対側に、例えば、マスク本体１１０のチェック部分に近接して配置される。第１及び第２の受け部１２０は、マスク本体１１０にフィルタカートリッジをしっかり取り付けることができるように、相補的な嵌合特徴部を含む。嵌合特徴部は、第１及び第２のフィルタカートリッジを、それらの耐用寿命の終わりに、又は異なる呼吸空気源構成要素の使用が望まれる場合に取り外して交換できるように、取り外し可能な接続部を提供することができる。代わりに、フィルタカートリッジを損傷せずに取り外しできないように、接続部を恒久的なものとすることができる。
【００２４】
例えば、１つ以上のラッチ、スレッド、コネクタ、又は相補的な特徴部によって、呼吸空気源構成要素１５０を受け部１２０に固定することができる。例示的な実施形態では、呼吸マスク保護装置１００は、マスク本体１１０の受け部１２０に呼吸空気源構成要素１５０を固定するカンチレバーラッチ１３０を含む。カンチレバーラッチ１３０は、呼吸空気源構成要素１５０と一体であってよく、ノズル要素１５５と実質的に平行であってよく、及び／又は少なくとも部分的に共に延びていてよい。受け部１２０及び／又はマスク本体１１０は、カンチレバーラッチ１３０と協働して本体１１０と呼吸空気源構成要素１５０との確実な接続部を提供する１つ以上の相補的な嵌合特徴部を含むことができる。例示的な他の実施形態では、受け部１２０及び／又はマスク本体１１０は、呼吸空気源構成要素１５０の特徴部と協働するカンチレバーラッチ１３０を含むことができ、カンチレバーラッチ１３０及び／又は相補的な嵌合特徴部は、確実な係合をもたらすように撓むことができる。
【００２５】
フィルタカートリッジ１０５などの呼吸空気源構成要素１５０は、周辺空気を、例えば、この空気がマスク本体１１０の内部空間に進む前に濾過することができる。例示的な実施形態では、フィルタカートリッジ１０５は、第１及び第２の主面１５１、１５２を有する本体部分１５３を含み、第１及び第２の主面１５１、１５２の間で少なくとも部分的に延びる１つ以上の側壁１５４を含むことができる。第１及び第２の主面１５１、１５２並びに／又は側壁のうちの１つ以上は、空気がフィルタカートリッジ１０５に入ることができるように、少なくとも部分的に流体を透過させることができる。例示的ないくつかの実施形態では、フィルタカートリッジ１０５は、外部ハウジングを伴わない濾材、又はハウジングによって部分的に囲まれた濾材を本質的に含むことができる。
【００２６】
フィルタカートリッジ１０５は、流体がフィルタカートリッジ１０５から出てマスク本体１１０に入ることを可能にする出口ノズル１５５を含む。例示的な実施形態では、出口ノズル１５５は、側壁１５４などの本体部分１５３から外側に延びており、出口ノズル１５５を通る空気流路を画定する先端部１５６、外面１５７及び内面を含む。例示的な様々な実施形態では、第１又は第２の主面１５１、１５２、１つ以上の側壁１５４、又はそれらの組み合わせのいずれかに近接して、出口ノズル１５５を配置することができる。
【００２７】
フィルタカートリッジ１０５は、少なくとも部分的に受け部１２０と係合して、マスク本体１１０に固定される。例示的な実施形態では、出口ノズル１５５は、弾性シール（図１には図示していない）によって部分的に画定された、受け部１２０の開口に挿入される。受け部１２０の硬質の外側部分が、例えば、マスク本体１１０とフィルタカートリッジ１０５との一次的な構造支持及び安定をもたらすことができ、弾性シールは、外部環境からの汚染物質又は細片の侵入を妨げるように、外面１５７及び／又は出口ノズル１５５の他の部分とフィルタカートリッジ１５０とを封止係合させることができる。
【００２８】
呼吸マスク保護装置１００は、１つ以上の呼吸空気源構成要素１５０からマスク本体１１０の呼吸可能空気領域への空気流を選択的に妨げる１つ以上の構成要素を有する弁アセンブリ１７０を含む。本明細書でより詳細に説明するように、弁アセンブリ１７０は、１つ以上の呼吸空気源構成要素１５０間の流体連通が遮られる閉構成と、呼吸可能空気が呼吸空気源構成要素１５０からマスク本体１１０の呼吸可能空気領域に流れることを可能にする開構成との間で操作可能である。
【００２９】
図２〜図５を参照すると、例示的な呼吸マスク保護装置２００が示されている。呼吸マスク保護装置２００は、呼吸可能空気領域２１１を画定するマスク本体２１０（図２〜図５では、部分的に省略されている）を含み、いくつかの実施形態は、上で説明した呼吸マスク保護装置１００と同様でありうる。呼吸マスク保護装置２００は、第１の空気チャンバ２１３と、第２の空気チャンバ２１４と、第１及び第２の空気チャンバを通る空気流を選択的に遮る弁アセンブリ２７０とを含む。装着者は、１つ以上の呼吸空気源構成要素から呼吸可能空気領域への空気流を選択的に妨げるように弁アセンブリ２７０を操作して、装着テストを行うことができる。
【００３０】
図２は、呼吸可能空気領域２１１と選択的に流体連通する第１の空気チャンバ２１３及び第２の空気チャンバ２１４を含む、例示的な呼吸マスク保護装置２００の部分断面図を示している。呼吸可能空気は、第１の受け部２２０ａでマスク本体２１０に入り、第１の空気チャンバ２１３を通って流れ、第１の吸気ポート２１５を通って呼吸可能空気領域２１１に進むことができる。同様に、呼吸可能空気は、第２の受け部２２０ｂでマスク本体２１０に入り、第２の空気チャンバ２１４を通って流れ、第２の吸気ポート２１６を通って呼吸可能空気領域２１１に進むことができる。
【００３１】
例示的な実施形態では、第１及び第２の呼吸空気源構成要素からの空気は、呼吸可能空気領域２１１に入る前には実質的に混合されないままである。呼吸可能空気は、互いに独立して、第１及び第２の空気チャンバ２１３、２１４を通って呼吸可能空気領域２１１に流れ込むことができる。第１及び第２の呼吸空気源からの独立した空気流は、マスク本体２１０を通る制御された流れを促すことができ、及び／又はマスク本体を通じた圧力降下の増大及び呼吸抵抗の増大に関連しうる空気の乱流混合を低減することができる。よって、第１及び第２の空気チャンバ２１３、２１５を通って呼吸可能空気領域２１１に至る実質的に独立した空気流路は、マスク本体を通じた圧力降下及び呼吸抵抗を低減することができる。
【００３２】
更に、呼吸可能空気領域２１１に実質的に独立して空気を送る第１及び第２の空気チャンバ２１３、２１４は、受け部２２０、吸気ポート２１５、２１６、及び／又はマスク本体２１０の他の構成要素の構成及び配置の自由度を許容する。例示的な実施形態では、第１及び第２の空気チャンバ２１３、２１４をそれぞれ通って、第１及び第２の吸気ポートに向かって実質的に反対側の又は異なる方向に空気が流れるように、受け部２２０は、マスク本体の実質的に互いに反対側に配置される。空気チャンバ２１３、２１４が実質的に流体隔離されているので、空気乱流をもたらしうる、第１及び第２の呼吸空気源構成要素から異なる方向に流れる空気同士の相互作用及び関連する抵抗が低減する。
【００３３】
第１及び第２の空気チャンバ２１３、２１４は、マスク本体２１０の１つ以上の構成要素によって画定することができ、マスク本体２１０に取り付けられた呼吸空気源構成要素と呼吸可能空気領域２１１との間の空気流を提供する適当な形状を有することができる。例えば、第１のチャンバ２１３は、マスク本体２１０の内壁２１７及び外壁２１８によって少なくとも部分的に画定される。第１の空気チャンバ２１３は、第１の呼吸空気源構成要素から第１の受け部２２０を通って入り、第１の吸気ポート２１５を通って呼吸可能空気領域２１１に出ることができる空気を除いて、外部環境から実質的に封止される。第２のチャンバ２１４を、同様に、マスク本体２１０の内壁２１７及び外壁２１８によって少なくとも部分的に画定することができ、第２の呼吸空気源構成要素から第２の受け部２２０を通って入り、第２の吸気ポート２１６を通って呼吸可能空気領域２１１に出ることができる空気を除いて、外部環境から実質的に封止することができる。
【００３４】
分離壁２１２が、第１及び第２の空気チャンバ２１３、２１４を分割することができる。例示的ないくつかの実施形態では、分離壁２１２は、第１及び第２の空気チャンバ２１３、２１４が分離壁２１２の互いに反対側に直接配置されるような、共通の分離壁とすることができる。分離壁２１２は、中央に位置することができ、例えば、マスク本体２１０を左右半体に分割する中央面に少なくとも部分的に沿って、及び／又は平行に配置することができる。分離壁２１２は、第１及び第２の空気チャンバ２１３、２１４を実質的に流体隔離するように、内壁２１７と弁アセンブリ２７０のアクチュエータ及び／又はプランジャ２７１との間の実質的に全距離にわたって延びることができる。
【００３５】
マスク本体２１０の内壁２１７によって少なくとも部分的に画定された呼吸可能空気領域と、マスク本体の内壁２１７によって少なくとも部分的に画定された、及び／又は呼吸可能空気領域２１１から外側に配置された第１及び第２の空気チャンバ２１３、２１４とを有するマスク本体が、余分な嵩や重量を最小化しながら実質的に流体隔離されうる複数の空気チャンバを提供する。更に、装着者の顔面の近くにあり、不快感を生じさせると知覚されうる不当に大きな慣性モーメントをもたらさない外壁２１８を有するように、マスク本体２１０を構成することができる。
【００３６】
第１及び／又は第２の空気チャンバ２１３、２１４はそれぞれ、１つ以上の呼吸空気源構成要素から第１及び第２の吸気ポート２１５、２１６にそれぞれ空気を導くダクトを提供することができる。第１及び第２の空気チャンバ２１３、２１４は、受け部２２０及び吸気ポート２１５、２１６をマスク本体２１０の異なる箇所に独立して配置することを可能にする。例えば、頬近くの位置及び／又はマスク本体２１０の最前部の後方に受け部２２０を配置することができる一方で、マスク本体２１０の中央を通って延びる中心軸線に近接して吸気ポート２１５、２１６を配置することができる。例示的ないくつかの実施形態では、このような構成によって、フィルタカートリッジなどの呼吸空気源構成要素が、装着者の顔面に沿って後方に延び、装着者の近くに質量中心を推し進め、装着者の視界内における呼吸空気源構成要素の存在を小さくすることを可能にする。
【００３７】
内壁２１７は、第１及び第２の空気チャンバ２１３、２１４を少なくとも部分的に画定することができ、内壁２１７を通って延びる第１及び第２の吸気ポート２１５、２１６を含むことができる。第１及び第２の吸気ポート２１５、２１６は、第１及び第２の空気チャンバ２１３、２１４のそれぞれから呼吸可能空気領域２１１への流体連通を選択的に可能にする吸気弁を含む。例示的な実施形態では、吸気弁は、フラップ又は隔壁２１９を含む。第１及び第２の吸気ポート２１５、２１６の間の中央位置に、例えば、１つ以上のピン又はフランジによって、周縁又は他の適当な箇所に、隔壁２１９を固定することができる。隔壁２１９は、呼吸可能空気領域２１１への空気の通過を選択的に可能にするように、内壁２１７との係合、例えば、第１及び／又は第２の吸気ポート２１５、２１６によって画定された開口部の周囲との係合に向けて付勢される。吐き出し中など、呼吸可能空気領域内の圧力が第１及び／又は第２の空気チャンバ２１３、２１４よりも高いときに、隔壁２１９は、空気が吸気ポート２１５、２１６を通って呼吸可能空気領域２１１から出ることができないように、内壁２１７との封止係合状態に推進されたままになる。吸い込み中など、呼吸可能空気領域内の圧力が第１及び／又は第２の空気チャンバ２１３、２１４よりも低いときに、隔壁２１９は、空気が第１及び／又は第２の空気チャンバ２１３、２１４から呼吸可能空気領域２１１に流れ込むことを可能にするように、撓む又は開くことができる。例示的な実施形態では、隔壁２１９は、第１及び第２の吸気ポート２１５、２１６によって画定された開口にそれぞれ関連する第１及び第２の隔壁部分２１９ａ、２１９ｂを含む単一の一体型隔壁２１９を含む。例示的ないくつかの実施形態では、隔壁２１９は、第１の隔壁２１９ａと、第１の隔壁２１９ａとは別の独立した第２の隔壁２１９ｂとを含む。
【００３８】
呼吸マスク保護装置２００は、マスク本体２１０と呼吸空気源構成要素との封止接続を促す１つ以上の弾性シール２６０を含むことができる。弾性シール２６０は、Ｏリング、ガスケット、封止スリーブ、又は他の適当なシールを含むことができる。例示的な実施形態では、弾性シール２６０は、ノズル又は出口など、呼吸空気源構成要素の一部分を受け、第１の端部２６１と、第２の端部２６２と、チャネル２６５を少なくとも部分的に画定する外面２６３及び内面２６４とを含む。受け部２２０など、マスク本体の硬質の構成要素に第１の端部２６１を接続することができる。例示的な実施形態では、弾性シール２６０は、マスク本体２１０に取り付けられた、フィルタカートリッジ２５０など、呼吸空気源構成要素の外面を少なくとも部分的に囲む弾性スリーブを提供し、呼吸空気源構成要素２５０の少なくとも一部分をチャネル２６５内に配置できるような、第１及び第２の端部の間の長さ（Ｌ）を有する。例示的ないくつかの実施形態では、長さ（Ｌ）は、５ｍｍ〜１００ｍｍ、１０ｍｍ〜４０ｍｍ、又は約２０ｍｍとすることができる。弾性シール２６０が、マスク本体２１０の一部分から少なくとも部分的に独立して移動又は変形できる一方で、第１の部分２６１がマスク本体２１０の構成要素（図２には示していない）に固定及び／又は硬く固定されるように、弾性シール２６０の第２の部分２６２及び／又は様々な箇所は、浮動していてもよく、又はマスク本体２１０の硬質の構成要素に固定されなくてもよい。
【００３９】
図２〜図３を参照すると、呼吸マスク保護装置２００は、アクチュエータ２７１と、封止面２７７、２７８などの１つ以上の封止面を有するプランジャ２７２とを含む、開構成と閉構成との間で操作可能な弁アセンブリ２７０を含む。アクチュエータ２７１は、開構成と閉構成との間で弁アセンブリ２７０を移動させるように使用者によって操作可能である。アクチュエータ２７１は、プランジャ２７２を移動させるように内側に押したり、操作したりできる、オーバーモールド成形された弾性プッシュボタン、摺動可能ボタンなどのボタンとすることができる。例えば、アクチュエータ２７１を内側に押して、第１及び第２の吸気ポート２１５、２１６に向かってプランジャ２７２を移動させることができる。例示的な様々な実施形態では、アクチュエータ２７１は、代わりに又は加えて、開構成と閉構成との間で弁アセンブリを移動させるように操作可能な、ツイスト機構、レバー、スライダ、又は他の適当なアクチュエータ２７１を含むことができる。いくつかの実施形態では、外壁２１８、及び／又は、呼吸可能空気領域２１１を少なくとも部分的に画定する、内壁２１７など、マスク本体２１０の後部分に係合する又は後部分と一体であるマスク本体２１０の前部分の間で、弁アセンブリ２７０を少なくとも部分的に支持することができる。
【００４０】
例示的な実施形態では、弁アセンブリ２７０は、マスク本体２１０の呼吸可能空気領域２１１に２つ以上の呼吸空気源構成要素からの空気流が入ることを妨げる閉構成に、弁アセンブリ２７０を移動させるように操作可能なアクチュエータ２７１を含む。例えば、アクチュエータ２７１の操作によって、プランジャ２７２の封止面を、第１及び第２の吸気ポート２１５、２１６の相補的な封止面に封止係合させることができる。プランジャ２７２は、第１の吸気ポート２１５の相補的な第１の封止面２１５ａに封止係合するように構成された第１の封止面２７７と、第２の吸気ポート２１６の相補的な第２の封止面２１６ａに封止係合するように構成された第２の封止面２７８とを有することができる。開構成では、プランジャ２７２の封止面２７７、２７８は、吸気ポート２１５、２１６及び相補的な封止面２１５ａ、２１６ａから離間する。閉構成では、プランジャ２７２の第１及び第２の封止面２７７、２７８は、相補的な封止面２１５ａ、２１６ａに封止係合して、第１及び第２の空気チャンバ２１５、２１６から呼吸可能空気領域２１１への空気流を妨げる。代わりに又は加えて、弁アセンブリ２７０は、弾性シール２６０、受け部２２０、又はマスク本体２１０の他の構成要素との封止係合によって、第１及び／又は第２の呼吸空気源構成要素から呼吸可能空気領域２１１への空気流を妨げることができる。
【００４１】
第１及び第２の吸気ポート２１５、２１６の封止面２１５ａ、２１６ａは、使用者がアクチュエータ２７１に過大な力を加える必要なしに、封止面２７７、２７８など、弁アセンブリ２７０の相補的な封止面との一定の封止係合を容易にする。例示的な実施形態では、第１及び第２の吸気ポート２１５、２１６の封止面２１５ａ、２１６ａは、第１及び第２の吸気ポート２１５、２１６によってそれぞれ画定された第１及び第２の開口を囲む、隆起面、リブ、フランジなどを含むことができる。プランジャ２７２の封止面２７７、２７８、及び／又は第１及び第２の吸気ポート２１５、２１６の封止面２１５ａ、２１６ａは、一定の封止を促す柔軟な又は弾性の材料を含むことができる。例えば、第１及び第２の封止面２１５ａ、２１６ａは、内壁２１７から延びる弾性のガスケット又はフランジを含むことができる。ガスケット又はフランジは、プランジャ２７２によって接触されると曲がって又は折れて、封止面２１５ａ、２１６ａの全周における一定の係合を促すことができる。代わりに又は加えて、封止面２７７、２７８が、封止面２１５ａ、２１６ａに接触して曲がる及び／又は回転する又は関節運動することができるように、プランジャ２７２の封止面２７７、２７８は、柔軟な又は弾性の材料を含むことができる。１つ以上の柔軟な又は弾性の部分を含む封止面は、例えば、使用者によってアクチュエータ２７１に加えられる力、又は弁アセンブリ２７０及び呼吸マスク保護装置２００の他の構成要素の大きな寸法許容値に基づいて変化しうる、プランジャの変位及び向きの範囲を超える一定の封止係合を促すことができる。
【００４２】
図３は、例示的な呼吸マスク保護装置２００の部分分解図を示している。第１及び第２の吸気ポート２１５、２１６は、内壁２１７に配置される。内壁２１７は、マスク本体２１０の１つ以上の他の部分と一体でもよく、他の部分に組み付けられてもよい。例えば、内壁２１７は、外壁２１８又はマスク本体２１０の別の部分との気密な封止係合をもたらす１つ以上のシール２４１を含むことができる。
【００４３】
例示的な実施形態では、弁アセンブリ２７０は、開構成と閉構成との間で封止面２７７、２７８のアラインメントを維持するガイド２８０を含む。ガイド２８０は、アクチュエータ２７１とプランジャ２７２との間に配置することができ、開位置と閉位置との間の移動中にプランジャ２７２の相補的な特徴部と相互作用することができる。例えば、プランジャ２７２は、ガイド２８０の開口２８１内に嵌る幅を画定する１つ以上のタブ２９１を有することができ、プランジャ２７２及び／又は封止面を適当なアラインメントに維持することができる。
【００４４】
弁アセンブリ２７０は、封止面２７７、２７８を画定する単体のプランジャ２７２を含むことができ、又は封止面２７７、２７８を画定する１つ以上の構成要素を含むことができる。例示的な実施形態では、プランジャ２７２は、内壁２１２を少なくとも部分的に受けるように、及び／又は内壁に亘って移動するように構成される。例えば、弁アセンブリが開構成と閉構成との間で操作されるときに、プランジャ２７２が部分的に分離壁２１２の両側を移動できるように、プランジャ２７２は、弁アセンブリ２７０が開構成と閉構成との間を移動するときに、分離壁２１２が少なくとも部分的に内部にありうる流路２７９を含む。よって、単一のアクチュエータ２７１の操作によって、第１及び第２の空気チャンバ２１３、２１４に位置し、実質的に互いに流体隔離された第１及び第２の吸気ポート２１５、２１６を閉じるように、弁アセンブリ２７０を構成することができる。これにより、装着者は、単一のアクチュエータ２７１の操作によって、複数の呼吸空気源構成要素を有する呼吸マスク保護装置２００の装着テキストを容易に行うことができる。
【００４５】
図４及び図５を参照すると、弁アセンブリ２７０が開構成（図４）及び閉構成（図５）にある状態で、第１及び第２の受け部２２０に取り付けられた第１及び第２の呼吸空気源構成要素を含む呼吸マスク保護装置２００の部分断面図が示されている。開構成では、空気は、第１のフィルタカートリッジ２５０ａなどの第１の呼吸空気源構成要素から第１の空気チャンバ２１３に流れ込み、第１の吸気ポート２１５を通って呼吸可能空気領域２１１に流れ込むとともに、第２のフィルタカートリッジ２５０ｂなどの第２の呼吸空気源構成要素から第２の空気チャンバ２１４に流れ込み、第２の吸気ポート２１６を通って呼吸可能空気領域２１１に流れ込む。図５に示す閉構成では、弁アセンブリ２７０の封止面２７７、２７８は、第１及び第２の吸気ポート２１５、２１６の相補的な封止面と封止係合する。代わりに又は加えて、封止面２７７、２７８は、第１及び第２の呼吸空気源構成要素と呼吸可能空気領域２１１との流体連通を実質的に妨げるように、第１及び第２の弾性シール２６０の第２の端部２６２、又はマスク本体２１０の他の構成要素に接触することができる。
【００４６】
受け部２２０は、弾性シール２６０によって画定された流路２６５内にフィルタカートリッジ２５０の出口ノズル２５５が摺動できるように構成される。出口ノズル２５５の外面２５７は、弾性シール２６０の内面２６４に接触して、フィルタカートリッジ２５０と受け部２２０との封止係合をもたらす。受け部２２０の硬質の外側部分２２１が、マスク本体２１０とフィルタカートリッジ２５０との間の実質的な構造支持及び安定をもたらすことができる一方で、弾性シール２６０とフィルタカートリッジ２５０との係合が、外部環境からの望ましくない汚染物質又は細片の侵入を妨げる適切なシールを提供する。
【００４７】
例示的な実施形態では、出口ノズル２５５と弾性シール２６０との締まり嵌め及びぴったりした封止係合を促すように、内面２６４によって画定されたチャネル２６５よりも出口ノズル２５５の外面２５７を相対的に大きくすることができる。代わりに又は加えて、弾性シール２６０は、可変の壁厚及び／又は輪郭形状を有するセクションを含むことができる。例えば、内面２６４は、出口ノズル２５５の外面２５７に接触するように構成された箇所に配置された１つ以上のリブ２６７を含むことができる。１つ以上のリブ２６７は、適切なシールを提供するように出口ノズルの周囲における連続的な接触を促す。更に、１つ以上のリブ２６７は、フィルタカートリッジ２５０を受け部２２０に係合させる際に使用者による過大な力を必要とせずに、堅牢な封止を促すことができる圧力集中領域を、出口ノズル２５５と弾性シール２６０との間に提供することができる。
【００４８】
呼吸マスク保護装置２００の装着者は、マスク本体２１０を口及び／又は鼻の上の使用位置に配置し、弁アセンブリ２７０を操作することによって、装着テストを行うことができる。例えば、マスク本体２１０が使用位置にあり、１つ以上のフィルタカートリッジ２５０がマスク本体２１０に係合した状態で、弁アセンブリ２７０を開構成から閉構成に操作することができる。アクチュエータ２７１の操作は、例えば、アクチュエータ２７１を内側に押すことによって、弁アセンブリ２７０が部分的に分離壁２１２の両側にある状態で、プランジャ２７２を開位置（図４）から閉構成（図５）に移動させる。閉構成では、プランジャ２７２の封止面２７７、２７８は、第１及び第２の吸気ポート２１５、２１６の相補的な封止面２１５ａ、２１６ａと封止係合する。
【００４９】
開構成から閉構成への弁アセンブリ２７０の操作によって、例えば、装着者によって観察されうる、漏れの有無の指標を示すことによって、マスク本体２１０と使用者の顔面との所望のシールが形成されているかを確認する装着テストを使用者に行わせることができる。弁アセンブリ２７０が閉構成にあるときには、第１及び第２の空気チャンバ２１５、２１６から呼吸可能空気領域２１１に空気が入ることが妨げられる。よって、閉構成での装着者による吸い込みによって、マスク本体２１０内に負圧が形成され、使用者が更に息を吸い込むことをますます困難にさせることができる。代わりに又は加えて、使用者の顔面とのシールが形成されている場合には、閉構成での吸い込みによって、柔軟な顔面接触部分１１０ｂ（図１）などの柔軟な顔面接触部分を内側に撓ませることができる。適切なシールが実現されていない場合には、負圧が形成されないようにすることができ、適切なシールの関連する指標が存在しないようにすることができる。これにより、閉構成への弁アセンブリ２７０の操作、それに続く使用者による吸い込みによって、呼吸マスク保護装置２００と使用者の顔面とのシールが形成されているか否かの指標が提供される。
【００５０】
開構成と閉構成との間で長手方向軸線に沿って直線的に移動するように、アクチュエータ２７１及び／又はプランジャ２７２を構成することができる。例えば、アクチュエータ２７１及び／又はプランジャ２７２は、アクチュエータ２７１及び／又はプランジャ２７２の中央を通って延びる長手方向軸線（Ａ）に沿って、開構成と閉構成との間で直線的に移動することができる。長手方向軸線（Ａ）は、アクチュエータ２７１の外面に直交して延びることができる。例示的ないくつかの実施形態では、長手方向軸線（Ａ）は、第１及び第２の吸気ポート２８０の間でアクチュエータ２７１及びプランジャ２７２の実質的に中央を通って進む。
【００５１】
第１及び／又は第２の封止面２７７、２７８も同様に、開構成と閉構成との間で移動軸線に沿って直線的に移動することができ、ガイド２８０は、閉構成での封止係合をもたらす第１及び第２の吸気ポート２１５、２１６との適当なアラインメントを維持することができる。代わりに又は加えて、アクチュエータ２７１及び／又はプランジャ２７２は、長手方向軸線（Ａ）に沿って配置された、又は長手方向軸線（Ａ）と平行であり、同軸線から離間したシャフト又はレールに沿って移動することができる。いくつかの実施形態では、アクチュエータ２７１及び／又はプランジャ２７２は、アクチュエータ２７１の可撓性ウェブ２７４によって、「浮動」することができ、又は実質的に支持されうる。可撓性ウェブ２７４は、アクチュエータ２７１及び／又はプランジャ２７２を開構成と閉構成との間の移動中に長手方向軸線（Ａ）に対して実質的にアラインメントした状態で維持することができ、第１及び第２の空気チャンバ２１３、２１４から呼吸可能空気領域２１１への空気流を選択的に妨げるように、第１及び第２の吸気ポート２１５、２１６、及び／又はマスク本体１１０の他の構成要素との適当なアラインメントのための所定位置に封止面を維持することができる。代わりに又は加えて、アクチュエータ２７１、プランジャ２７２、及び／又は封止面２７７、２７８は、開構成と閉構成との間の非直線的な経路に少なくとも部分的に沿って、枢動、回転、又は移動することができる。
【００５２】
使用者によって力が加えられていないときには所望の構成に戻るように、弁アセンブリ２７０を付勢することができる。例えば、弁アセンブリ２７０は、使用者によって解放されると弁アセンブリ２７０を開構成（図４）に戻す１つ以上の弾性部材を含む。例示的な実施形態では、アクチュエータ２７１は、封止面２７７、２７８が第１及び第２の吸気ポート２１５、２１６の相補的な封止面２１５ａ、２１６ａとの封止係合状態から外れる開構成に向けて、プランジャ２７２を付勢する弾性部材として作用する弾性ボタンである。アクチュエータ２７１は、アクチュエータ２７１を支持し、アクチュエータ２７１を開位置へ付勢するように、外壁２１８又はマスク本体２１０の他の硬質の構成要素に取り付けられた可撓性ウェブ２７４を含むことができる。ウェブ２７４は、アクチュエータが使用者によって内側に押されたときに弾性変形可能である一方で、使用者によって力が加えられていないときに弁アセンブリ２７０を開構成に戻すように作用する、可撓性の又は柔軟な材料で形成される。代わりに又は加えて、弁アセンブリ２７０は、１つ以上の弾性部材を含むことができる。例示的な様々な実施形態では、弁アクチュエータ２７１及び／又はプランジャ２７２を開位置に向けて付勢するように、例えば、コイルバネ、板バネ、又は弾性バンドを設けることができる。
【００５３】
開構成と閉構成との間の操作を容易にするように、アクチュエータ２７１とプランジャ２７２とを直接又は間接的に接続することができる。例示的な実施形態では、プランジャ２７２は、アクチュエータ２７１に比べて硬さ又は剛性が大きい。プランジャ２７２の開口２７６を通って配置された、アクチュエータ２７１のスナップ嵌合コネクタ２７５によって、アクチュエータ２７１とプランジャ２７２を結合することができる。代わりに又は加えて、例えば、リベット、メカニカルファスナー、接着剤、又は１つ以上の中間構成要素によって、アクチュエータ２７１とプランジャ２７２を結合することができる。実質的に硬質のプランジャ２７２が、弾性シール２６０の実質的に可撓性の又は柔軟な第２の端部２６２との堅牢な封止係合を容易にすることができる。例示的ないくつかの実施形態では、アクチュエータ２７１とプランジャ２７２は、アクチュエータ２７１とプランジャ２７２との間にガイド２８０が配置されるように結合される。
【００５４】
前述の詳細な説明及び実施例は、理解しやすいように示したものにすぎない。詳細な説明及び実施形態による不要な限定はないものと理解すべきである。本開示の範囲から逸脱することなく、記載された実施形態において多くの変更を行うことができることが、当業者には明白であろう。上記の実施形態のいずれかに関して記載されたいずれかの特徴又は特性は、個々に、又は他のいずれかの特徴又は特性と組み合わせて組み込むことができ、単に明確性のために上記の順番及び組み合わせで提示される。よって、本開示の範囲は本明細書に述べられる厳密な詳細及び構造に限定されるべきではない。更に、特徴は、特定の組み合わせで機能するように本明細書で説明され、更にそのように最初に請求されることがあるが、組み合わされる、及び／又は請求される１つ以上の特徴は、場合によっては組み合わせから取り除かれてもよく、請求された組み合わせは、一部の組み合わせ又は一部の組み合わせの変形を目的としてもよい。
【図１】
2019512344.tif 000003
【図２】
2019512344.tif 000004
【図３】
2019512344.tif 000005
【図４】
2019512344.tif 000006
【図５】
2019512344.tif 000007
【国際調査報告】
2019512344.tif 000008